(57)【要約】【課題】外気を建物本体内に取り込むための給気口の位置を、容易に変更することができる。【解決手段】床下空間４を囲む基礎２と、その上に立てられた建物本体３とを含み、床下空間４の空気Ａｉを建物本体３側に導入して換気を行う住宅Ｂである。基礎２には、穴６が複数形成されている。穴６の一つは、外気Ａｏを床下空間４に取り込むための給気口９として利用されている。他の全ての穴６は、取り外し自在な蓋１０によって閉じられている。【選択図】図１
2015209631.tif 000002
【特許請求の範囲】
【請求項１】
床下空間を囲む基礎と、その上に立てられた建物本体とを含み、前記床下空間の空気を前記建物本体側に導入して換気を行う住宅であって、
前記基礎に、穴が複数形成されており、
前記穴の一つは、外気を前記床下空間に取り込むための給気口として利用され、
他の全ての穴は、取り外し自在な蓋によって閉じられていることを特徴とする住宅。
【請求項２】
前記基礎は、屋外と断熱されている請求項１記載の住宅。
【請求項３】
前記基礎は、平面視において、直線状にのびる複数の基礎通りで構成されており、
前記穴は、異なる基礎通りに設けられている請求項１又は２記載の住宅。
【発明の詳細な説明】
【技術分野】
【０００１】
本発明は、外気を建物本体内に取り込むための給気口の位置を、容易に変更することができる住宅に関する。
【背景技術】
【０００２】
従来、基礎で囲まれた床下空間の空気を、建物本体に導入して換気を行う住宅が提案されている。このような住宅の基礎には、外気を床下空間に取り込むための給気口が設けられている。給気口は、住宅の施工時において、例えば、近隣住宅等から排出される空気の影響が小さいと想定される位置に設けられる。
【先行技術文献】
【特許文献】
【０００３】
【特許文献１】特開２００４−６０９９３号公報
【発明の概要】
【発明が解決しようとする課題】
【０００４】
しかしながら、近隣住宅の環境の変化等により、例えば、隣戸のキッチンやトイレの排気が導入され、不快な臭いが建物本体に供給されるという問題があった。
【０００５】
本発明は、以上のような実状に鑑み案出されたもので、基礎に複数形成された穴の一つを、外気を床下空間に取り込むための給気口として利用し、他の全ての穴を、取り外し自在な蓋によって閉じることを基本として、給気口の位置を容易に変更することができる住宅を提供することを主たる目的としている。
【課題を解決するための手段】
【０００６】
本発明は、床下空間を囲む基礎と、その上に立てられた建物本体とを含み、前記床下空間の空気を前記建物本体側に導入して換気を行う住宅であって、前記基礎に、穴が複数形成されており、前記穴の一つは、外気を前記床下空間に取り込むための給気口として利用され、他の全ての穴は、取り外し自在な蓋によって閉じられていることを特徴とする。
【０００７】
本発明に係る前記住宅において、前記基礎は、屋外と断熱されているのが望ましい。
【０００８】
本発明に係る前記住宅において、前記基礎は、平面視において、直線状にのびる複数の基礎通りで構成されており、前記穴は、異なる基礎通りに設けられているのが望ましい。
【発明の効果】
【０００９】
本発明の住宅は、基礎に複数形成された穴の一つを、外気を床下空間に取り込むための給気口として利用している。他の全ての穴は、取り外し自在な蓋によって閉じられている。給気口として利用されていた穴が、蓋で閉じられるとともに、蓋で閉じられていた穴が給気口として利用されることにより、給気口の位置が容易に変更される。従って、本発明の住宅は、近隣住宅の環境変化等に応じて、給気口の位置を容易に変更することができるため、建物本体に臭気が侵入するのを防ぐことができる。
【図面の簡単な説明】
【００１０】
【図１】本実施形態の住宅を示す断面図である。
【図２】基礎の平面図である。
【図３】基礎の立上がり部の断面斜視図である。
【発明を実施するための形態】
【００１１】
以下、本発明の実施の一形態が図面に基づき説明される。
図１は、本実施形態の住宅を示す断面図である。本実施形態の住宅Ｂは、床下空間４を囲む基礎２と、その上に立てられた建物本体３とを含んで構成されている。
【００１２】
図２は、基礎２の平面図である。図１及び図２に示されるように、基礎２は、住宅Ｂの外周に連続して配置されている。本実施形態の基礎２は、鉄筋コンクリート製の布基礎として構成されている。基礎２は、地中Ｇ内で水平にのびるベース部２ａと、該ベース部２ａの幅方向の略中央から上方へのび、かつ、地中Ｇから突出する立上がり部２ｂとを含んでいる。
【００１３】
基礎２は、平面視において、直線状にのびる複数の基礎通り２ｓで構成されている。これらの基礎通り２ｓは、基礎２の立上がり部２ｂによって形成され、床下空間４を囲むように配置されている。また、本実施形態の基礎２の立上がり部２ｂには、断熱材５が設けられている。これにより、基礎２は、屋外Ｓｏと断熱されている。
【００１４】
図３は、立上がり部の断面斜視図である。図１乃至図３に示されるように、基礎２には、複数の穴６が形成されている。本実施形態の穴６は、立上がり部２ｂと断熱材５とを貫通して形成され、屋外Ｓｏと床下空間４との間を連通している。従って、穴６は、床下空間４に、新鮮な外気Ａｏを供給することができる。
【００１５】
図３に示されるように、穴６は、それぞれ同一形状に形成されている。また、本実施形態の穴６は、円筒状に形成されている。このような穴６は、例えば、コンクリートを打設する基礎用の型枠（図示省略）内に、穴６を形成するための円筒状の型枠を配置して形成することができる。また、穴６は、硬化した立上がり部２ｂを切削して形成されてもよい。
【００１６】
穴６の内径Ｄ１については、適宜設定することができる。なお、穴６の内径Ｄ１が大きいと、基礎２の剛性が低下するおそれがある。このため、穴６の内径Ｄ１は、１１０mm以下に設定されるのが望ましい。これにより、基礎２の配筋に特別な補強を施す必要がないため、住宅の施工性が低下することもない。また、穴６の内径Ｄ１が小さいと、外気Ａｏを十分に供給することができない。このため、穴６の内径Ｄ１は、７５mm以上が望ましい。
【００１７】
図１及び図２に示されるように、本実施形態では、穴６の一つが、外気Ａｏを床下空間４に取り込むための給気口９として利用される。給気口９としては、住宅Ｂの施工時において、例えば、近隣住宅等から排出される空気の影響が小さいと想定される位置に設けられた穴６が選択される。
【００１８】
図２及び図３に示されるように、他の全ての穴６は、取り外し自在な蓋１０によって閉じられている。これにより、給気口９として利用される穴６のみから、外気Ａｏが床下空間４に供給されるため、例えば、隣戸のキッチンやトイレの排気が、床下空間４に導入されるのを防ぐことができる。
【００１９】
図３に示されるように、本実施形態の蓋１０は、穴６に固定される蓋保持部１１によって、取り外し自在に保持される。蓋保持部１１は、穴６の内面に固着される筒部１１ａと、筒部１１ａの端部でフランジ状にのびる鍔部１１ｂとを含んで構成されている。筒部１１ａの外面と、穴６の内面との間には、例えば、シーリング材（図示省略）が充填される。鍔部１１ｂと蓋１０との間は、例えば、パッキン（図示省略）等でシールされている。このような蓋１０により、給気口９として利用されない未使用状態において、基礎２の水密性及び気密性を維持しつつ、穴６を塞ぐことができる。なお、穴６に蓋保持部１１が形成される場合、穴６の内径Ｄ１は、筒部１１ａの内径で測定される。
【００２０】
図１に示されるように、床下空間４は、基礎２と１階の床１３との間で区画されている。床下空間４には、該床下空間４の底面をなす土間コンクリート１４と、土間コンクリート１４に固定される束（図示省略）と、束に支持される大引き（図示省略）とが配置されている。
【００２１】
土間コンクリート１４は、床下空間４の空気（以下、単に「床下空気」ということがある。）Ａｉと、一年を通して温度変化が小さい地中熱とを熱交換可能な熱交換部１５として構成されている。このような床下空間４は、夏は外気よりも涼しく、冬は外気よりも暖かい床下空気Ａｉを蓄えることができる。しかも、本実施形態の床下空間４は、基礎２に設けられた断熱材５によって屋外Ｓｏと断熱されているため、床下空間４の温度変化を、効果的に小さくすることができる。
【００２２】
建物本体３は、基礎２に固着される外壁１６と、大引き（図示省略）に支持される床１３と、外壁１６や柱（図示省略）に支持される屋根１７とを含んで構成されている。また、建物本体３には、外壁１６で囲まれる空間に、間仕切り壁１８が設けられている。これにより、建物本体３は、居室２１及び非居室空間２２が区分される。
【００２３】
本実施形態の住宅Ｂは、換気設備２３を具えている。換気設備２３は、外気Ａｏ（床下空気Ａｉ）を建物本体３側に供給する給気ファン２６と、建物本体３の空気Ａｒを屋外Ｓｏに排出する排気ファン２７とを含み、第一種換気設備として構成されている。さらに、本実施形態の換気設備２３は、供給される外気Ａｏを居室２１に供給する給気経路２８を有している。
【００２４】
給気ファン２６及び排気ファン２７は、例えば、電動機（図示省略）によって回転するものである。これらの給気ファン２６及び排気ファン２７の起動及び停止は、例えば、住宅Ｂに設けられた制御手段（図示省略）や、居住者の操作によって実施される。
【００２５】
本実施形態の給気ファン２６は、床下空間４内に設置されている。また、給気ファン２６は、床下空間４から給気経路２８に向かって気流を発生しうるように、給気経路２８に接続されている。これにより、給気ファン２６は、給気経路２８を介して、床下空気Ａｉ（外気Ａｏ）を、居室２１に供給することができる。
【００２６】
本実施形態の給気ファン２６には、フィルター等の浄化部材２９が設けられている。浄化部材２９は、外気Ａｏ中に含まれている花粉や大気汚染物質等を取り除くためのものである。従って、本実施形態では、花粉や大気汚染物質等が居室２１に侵入するのを防ぐことができるため、住宅Ｂの室内空気質を高めることができる。
【００２７】
排気ファン２７は、非居室空間２２に設けられている。本実施形態の排気ファン２７は、非居室空間２２から屋外Ｓｏに向かって気流を発生しうるように設置されている。これにより、排気ファン２７は、非居室空間２２を負圧にして、建物本体３の空気Ａｒを屋外Ｓｏに排出することができる。
【００２８】
給気経路２８は、床下空間４と２階の天井との間を上下にのびる本体部２８ａ、本体部２８ａと１階の居室２１とを連通する１階の分岐部２８ｂ、及び、本体部２８ａと２階の居室２１とを連通する２階の分岐部２８ｃを含んで構成されている。本体部２８ａ、１階の分岐部２８ｂ、及び、２階の分岐部２８ｃは、住宅Ｂの配管スペースに配置されたダクト２８Ａで形成されている。
【００２９】
このような換気設備２３では、先ず、給気ファン２６によって、床下空気Ａｉ（図２に示す）が、給気経路２８の本体部２８ａに案内される。次に、本体部２８ａに案内された床下空気Ａｉは、本体部２８ａから１階の分岐部２８ｂ及び２階の分岐部２８ｃのそれぞれに案内される。１階の分岐部２８ｂに案内された床下空気Ａｉは、１階の居室２１に供給される。また、２階の分岐部２８ｃに案内された床下空気Ａｉは、２階の居室２１に供給される。このように、住宅Ｂでは、夏は冷たく、冬は暖かい床下空気Ａｉを、各居室２１に供給することができるため、各居室２１の初期空調に役立つ。
【００３０】
各居室２１は、床下空気Ａｉの給気によって正圧状態となる。一方、非居室空間２２は、排気ファン２７による建物本体３の空気Ａｒの排気により、各居室２１に比べて負圧状態となる。このため、各居室２１の空気Ａｒは、扉、廊下、吹き抜け、又は、階段を介して、非居室空間２２に供給される。このように、本実施形態の換気設備２３は、居室２１及び非居室空間２２を含む建物本体３側に、床下空気Ａｉ（外気Ａｏ）を導入して、効果的に換気することができる。
【００３１】
図２及び図３に示されるように、本実施形態では、住宅Ｂの施工時において、近隣住宅等から排出される空気の影響が小さいと想定される位置に設けられた穴６が、給気口９として利用されている。このため、住宅Ｂでは、不快な臭いが、建物本体３に供給されるのを防ぐことができる。
【００３２】
ところで、近隣住宅の環境の変化等により、給気口９として利用されている穴６の位置において、近隣住宅等から排出される空気の影響が大きくなることがある。例えば、給気口９の近くに、隣戸のキッチンやトイレの排気口（図示省略）が新たに設置された場合、排気された不快な臭いが、建物本体３に供給されるおそれがある。
【００３３】
上述したように、本実施形態の基礎２には、複数の穴６が予め設けられている。このため、給気口９として利用されていた穴６が、蓋１０で閉じられるとともに、蓋１０で閉じられていた穴６が給気口９として利用されることにより、給気口９の位置を容易に変更することができる。従って、本発明の住宅Ｂは、近隣住宅の環境変化等に応じて、給気口９の位置を変更することができるため、建物本体３に臭気等が侵入するのを防ぐことができる。
【００３４】
しかも、本実施形態では、穴６を蓋１０で閉じるだけで、給気口９の位置を容易に変更することができるため、従来のように、当初の給気口９をモルタル等で塞いだり、基礎２に穴を開けて給気口９を新たに設けたりする必要がない。従って、本実施形態では、給気口９の位置を変更するのに要するコストを、大幅に抑えることができる。なお、床下空間４は、供給された外気Ａｏの圧力を一定に保つチャンバーとして作用するため、給気口９の位置が変更されても、換気性能は低下しない。
【００３５】
図２に示されるように、複数の穴６は、異なる基礎通り２ｓに設けられるのが望ましい。これにより、本実施形態では、各穴６の屋外Ｓｏ側で開口する向きがそれぞれ異なるため、近隣住宅等から排出される空気の影響が小さい穴６を、確実に選択することができる。そして、選択された穴６が給気口９として利用されることにより、建物本体３に臭気が侵入するのを、確実に防ぐことができる。
【００３６】
本実施形態では、換気設備２３として、第一種換気設備である態様が例示されたが、これに限定されるわけではない。例えば、第二種換気設備（図示省略）や、第三種換気設備（図示省略）でもよい。第二種換気設備は、給気ファン２６によって給気口９から外気Ａｏを取り込み、建物本体３の空気Ａｉを屋外Ｓｏに自然に排気するものである。第三種換気設備は、排気ファン２７によって建物本体３の空気Ａｉを排気し、外気Ａｏを給気口９から自然に取り込むものである。これらの換気設備においても、近隣住宅の環境変化等に応じて、給気口９の位置が変更されることにより、建物本体３に臭気が侵入するのを防ぐことができる。
【００３７】
尚、本実施形態では、各基礎通り２Ｓに給気口９（穴６）が一つずつ設けられる場合が例示されたが、これに限定されるわけではない。例えば、必要換気量等に応じて、各基礎通り２Ｓに複数の給気口９が設けられてもよく、また、複数の給気口９が互いに近接した位置に設けられてもよい。
【００３８】
以上、本発明の特に好ましい実施形態について詳述したが、本発明は図示の実施形態に限定されることなく、種々の態様に変形して実施しうる。
【符号の説明】
【００３９】
２      基礎
３      建物本体
４      床下空間
６      穴
９      給気口
１０      蓋
【図１】
2015209631.tif 000003
【図２】
2015209631.tif 000004
【図３】
2015209631.tif 000005